(57)【要約】【課題】不都合な気象状態であっても洋上構造物への移送および洋上構造物からの移送を可能にするドッキング装置を提供する。【解決手段】船舶（１）と、洋上構造物（４）との間での移送を容易にするドッキング装置であって、該ドッキング装置は、船舶（１）に組み付けられた第１のドッキング部材と、洋上構造物（４）に組み付けられた第２のドッキング部材（５）とを備え、これにより、第１のドッキング部材と、第２のドッキング部材（５）とが接続された状態で、船舶（１）の船首（２）または船尾が上昇され得るように、第１のドッキング部材と、第２のドッキング部材（５）とは接続可能であるようにした。【選択図】図４
2013233922.tif 000002
【特許請求の範囲】
【請求項１】
船舶（１）と、洋上構造物（４）との間での移送を容易にするドッキング装置であって、
該ドッキング装置は、前記船舶（１）に組み付けられた第１のドッキング部材と、前記洋上構造物（４）に組み付けられた第２のドッキング部材（５）とを備え、
これにより、前記第１のドッキング部材と、前記第２のドッキング部材（５）とが接続された状態で、前記船舶（１）の船首（２）または船尾が上昇され得るように、前記第１のドッキング部材と、前記第２のドッキング部材（５）とは接続可能であることを特徴とする、船舶と、洋上構造物との間での移送を容易にするドッキング装置。
【請求項２】
前記洋上構造物（４）は、周方向に配置された複数の第２のドッキング部材（５）を有している、請求項１記載のドッキング装置。
【請求項３】
前記第１のドッキング部材は、歯付きホイールまたは歯車（３）として形成されており、前記第２のドッキング部材（５）は、ラックとして形成されており、それにより前記第１のドッキング部材と、前記第２のドッキング部材（５）とは、前記接続された状態でラック・アンド・ピニオン装置として作用する、請求項１または２記載のドッキング装置。
【請求項４】
前記歯付きホイールまたは前記歯車（３）は、前記船舶（１）を上昇させるために作動され得る、請求項３記載のドッキング装置。
【請求項５】
前記第１のドッキング部材は、引込み可能なフック（１０）を有し、前記第２のドッキング部材（５）はレール（１３）として形成されており、それにより前記フック（１０）は、前記接続された状態で前記レール（１３）に対してロックされる、請求項１または２記載のドッキング装置。
【請求項６】
前記第１のドッキング部材は、さらにワイヤ（１４）を有し、該ワイヤ（１４）は、前記接続された状態で、前記レール（１３）において位置固定され得る、請求項５記載のドッキング装置。
【請求項７】
前記フック（１０）は、液圧式のロックを有している、請求項５または６記載のドッキング装置。
【請求項８】
ドッキング装置を用いて、船舶（１）と、洋上構造物（４）との間で移送を容易にする方法であって、
前記船舶（１）に組み付けられた第１のドッキング部材と、前記洋上構造物（４）に組み付けられた第２のドッキング部材（５）とを備えたドッキング装置を使用し、
前記第１のドッキング部材と、前記第２のドッキング部材（５）とが接続され、該接続された状態で、前記船舶（１）の船首または船尾を上昇させることを特徴とする、ドッキング装置を用いて、船舶と、洋上構造物との間で移送を可能にする方法。
【請求項９】
前記第１のドッキング部材を、歯付きホイールまたは歯車（３）として形成し、
前記第２のドッキング部材（５）をラックとして形成し、それにより、前記接続された状態で前記第１のドッキング部材と前記第２のドッキング部材とをラック・アンド・ピニオン装置として使用する、請求項８記載の方法。
【請求項１０】
前記第１のドッキング部材が引込み可能なフック（１０）を有し、前記第２のドッキング部材（５）は、レール（１３）として形成されており、それにより、前記フック（１０）は、前記接続された状態で前記レール（１３）をロックする、請求項８記載の方法。
【発明の詳細な説明】
【技術分野】
【０００１】
本発明は、船舶と洋上構造物との間での移送（積み替え）を容易にするドッキング装置に関する。
【背景技術】
【０００２】
洋上構造物（offshore structure）、たとえばモノパイル、ジャケット構造物またはフローティング構造物は、特に洋上ウィンドファームに対する需要の増加に伴い、ますます使用されるようになっている。このような洋上構造物の建設、保守および修繕のために、船舶と洋上構造物との間で人員および軽量設備の、安全、確実かつ費用効率が高い移送が要求される。
【０００３】
現在、人員および設備の移送は、種々の船舶タイプおよび移送システムにより実施されている。この移送は、小型高速救難船を介した移送から、動き補償されたアクセスプラットホームを備える特別な船舶による移送にまで及ぶ。
【０００４】
いわゆるインテリジェント船首フェンダを有する移送船は、当該移送船が風車設備のたとえばトランジションピース上のバンパガードを押圧することを容易にし、フェンダにかけられたボラード押圧力を検出することで知られている。当該ボラード押圧力は、フェンダと、モノパイルのバンパガードとの間の最小摩擦を決定するために使用される。この摩擦は、船舶の船首を鉛直方向の静止位置に維持することを容易にする。しかし、実際には、トランジションピース上に位置固定されたバンパガードに正確にアクセスされ得る場合にのみ移送は可能である。風および／または水流および／または波の方向および力により、まず船舶をバンパガードの正確な位置にガイドすることも、船舶をその後に正確な位置に維持することも極めて困難であり得る。
【０００５】
全ての公知のドッキング装置は、２メートルを超える波高で運転するようには設計されていない。したがって、洋上構造体へのアクセスは、気象状態または海洋状態に左右される。
【発明の概要】
【発明が解決しようとする課題】
【０００６】
本発明の課題は、不都合な気象状態であっても洋上構造物への移送および洋上構造物からの移送を可能にするドッキング装置を提供することである。
【課題を解決するための手段】
【０００７】
本発明によれば、この課題は、船舶と、洋上構造物との間での移送を容易にするドッキング装置であって、該ドッキング装置は、船舶に組み付けられた第１のドッキング部材と、洋上構造物に組み付けられた第２のドッキング部材とを備え、これにより、第１のドッキング部材と、第２のドッキング部材とが接続された状態で、船舶の船首または船尾が上昇され得るように、第１のドッキング部材と、第２のドッキング部材とが接続可能であることにより解決される。
【発明の効果】
【０００８】
本発明によるドッキング装置は、船舶の船首または船尾が、洋上構造物に組み付けられた第２のドッキング部材に対して確実な、固定された位置に定着され得る場合に、洋上構造物への、または洋上構造物からの安全で確実なアクセスおよび移送が可能である、という発想に基づいている。確実な、固定された位置では、船舶の船首または船尾は、海面に対して上昇されているので、波動運動または波浪衝撃は移送を損なわない。
【０００９】
本発明によるドッキング装置の別の態様によれば、洋上構造物が周方向に配置された複数の第２のドッキング部材を有していることが考えられ得る。したがってこのドッキング装置は、船首または船尾を、波浪影響が及ばないように上昇させることによってあらゆる方向でのドッキングを可能にし、このことは人員および設備の安全かつ確実な移送を可能にする。
【００１０】
好適には第１のドッキング部材は、歯付きホイールまたは歯車（ピニオン）として形成されており、第２のドッキング部材は、ラックとして形成されている。この場合、第１および第２のドッキング部材は、接続された状態でラック・アンド・ピニオン装置として作用する。
【００１１】
ラック・アンド・ピニオン接続は、船舶の船首または船尾が上昇されることを可能にする強力で安定した接続部である。
【００１２】
本発明によれば、第１のドッキング部材の歯付きホイールまたは歯車は、船舶を上昇させるために作動され得る。これにより、移送手順は、第１および第２のドッキング部材が接続された状態にされるドッキング手順で開始され、その後に上昇手順が続く。船舶が上昇位置に到達すると、船舶から洋上構造物への、かつ洋上構造物から船舶への人員および設備の移送が可能である。
【００１３】
本発明の択一的な第２の態様では、第１のドッキング部材は、引込み可能なフックを有していてよく、第２のドッキング部材は、レールとして形成されている。この場合、フックは接続された状態でレールに対してロックされる。この態様は、洋上構造物があらゆる方向からアクセスされることができ、これにより悪い気象状態の間の移送を容易にするドッキング操作が可能である。ドッキング手順の間に、引込み可能なフックは、洋上構造物のレールに接続されている。次いでフックが引き込まれて、これにより船舶の船首または船尾は上昇させられる。
【００１４】
本発明によるドッキング装置では、第１のドッキング部材が、さらにワイヤを有している。このワイヤは、接続された状態でレールに位置固定され得る。ワイヤは、船舶から荷重を受け取り、引込み可能なフックの荷重を取り除く。
【００１５】
第１のドッキング部材と第２のドッキング部材と間の極めて安全かつ安定的な接続は、フックが液圧式のロックを有している場合に達成され得る。
【００１６】
本発明によるドッキング装置では、フェンダが、船舶と洋上構造物との間に配置され、これにより船舶および洋上構造物を保護することが考えられる。
【００１７】
さらに、本発明は、船舶と洋上構造物との間の移送をドッキング装置により容易にする方法に関する。
【００１８】
本発明による方法によれば、船舶に組み付けられた第１のドッキング部材と、洋上構造物に組み付けられた第２のドッキング部材とを有するドッキング装置を使用し、第１および第２のドッキング部材を接続させ、船舶の船首または船尾を、目下の海洋状態における影響が及ばないように安全に上昇させる。
【００１９】
本発明の別の特徴は、従属請求項に記載されている。
【００２０】
本発明および本発明の根底を成す原理は、好適な形態に関する以下の詳細な説明を考慮することでより良好に理解され得る。
【図面の簡単な説明】
【００２１】
【図１】本発明によるドッキング装置を備えた船舶を示す図である。
【図２】洋上構造物に接近する、図１に示した船舶を示す図である。
【図３】洋上構造物に対する船舶の接続部を示す図である。
【図４】船舶の上昇を示す図である。
【図５】本発明の第２の実施の形態による本発明に係るドッキング装置を備えた船舶を示す図である。
【図６】洋上構造物に接近する、図５に示した船舶を示す図である。
【図７】洋上構造物に対する船舶の接続部を示す図である。
【図８】船舶を上昇された状態で示す図である。
【図９】ワイヤが用いられた場合の、図８に示した船舶と洋上構造物を示す図である。
【発明を実施するための形態】
【００２２】
図１は、歯車３として形成された第１のドッキング部材を備えた船舶１が示されている。基本的に、歯車３は、作動され得る、つまりモータにより回転され得る歯付きホイールである。回転可能な歯車３は、洋上構造物と接続された状態を構築するために使用される。
【００２３】
図２は、洋上構造物４に接近する船舶１を示している。この実施の形態では洋上構造物４は風車のための基礎として使用されるモノパイルである。しかし、ドッキング装置は、ジャケット、重力式基礎、穿孔プラットホームまたはセミサブマーシブル式構造物のためにも使用され得る。
【００２４】
洋上構造物４には、梯子のように形成された第２のドッキング部材５が設けられている。各第２のドッキング部材５は、平行に延びる２つの支柱６を有しており、この２つの支柱６は複数の横方向支柱７により接続されている。図２から判るように、複数の第２のドッキング部材５が洋上構造物４の周方向に設けられている。
【００２５】
図３は、接続された状態の船舶１および洋上構造物４を示している。歯車３の歯付きホイールは、洋上構造物４の外側の第２のドッキング部材５の隙間部分に係合している。これにより、船舶１と洋上構造物４との間の安定した確実な接続が形成されている。
【００２６】
図４は，接続された状態の船舶１および洋上構造物４を示している。この接続された状態では、船舶１の第１のドッキング部材の歯車３はモータにより回転されて、その結果、船舶１の船首２は海面８に対して上昇させられる。歯車３は、船首２を鉛直方向で位置固定する。まず船首２は波動運動の結果として最も高い高さにされる。位置固定後に船首２はさらに短い距離だけ、典型的には数センチメートル上昇させられて、これにより、船首２が鉛直方向の波の影響から隙間を空けることを保証する。この手順は理論的には、ドッキング中およびドッキング解除中には、ドッキング部材同士の間では単にまたは主に静的な鉛直方向の力だけが占めることを示唆している。この状態で、船舶１の船首２は、波の影響が及ばないように上昇されている。このことは、人員および設備を洋上構造物４から、または洋上構造物４へと安全かつ確実に移送することを可能にする。図１から図４に示されているドッキング装置は、移送が実施され得る天候範囲、つまり天候依存の施工稼働率を従来のドッキング装置に比べて急進的に拡大させる。
【００２７】
図５は、船舶９の別の実施の形態を示している。この船舶９には、伸縮可能に引込み可能なフック１０として形成された第１のドッキング部材が設けられている。フック１０は、引込み可能なブーム１１に配置されていて、液圧により作動される。フック１０の開放および閉鎖は、同様に液圧により実施される。
【００２８】
図６は、洋上構造物１２に接近する船舶９を示している。船舶９が洋上構造物１２に接近すると、引込み可能なブーム１１のフック１０が開放する。
【００２９】
洋上構造物１２には、円形レール１３が設けられている。図７は、接続された状態の船舶９および洋上構造物１２を示している。船舶９とブーム１１とは、フック１０がレール１３に届くまで操舵される。レール１３がリング形なので、フック１０のドッキングは、悪い気象状態でも行うことができる。船舶９が洋上構造物１２に到達すると、フック１０が閉じて、レール１３をクランプする。安定した接続された状態が達成されると、引込み可能なブーム１１が作動されて、船舶９の船首２が海面に対して相対的に上昇されるように高められる。船舶９は、船首２と共に上昇されて、もはや波動運動によって影響を与えられない。
【００３０】
図９は類似の態様を示しているが、接続された状態で付加的なワイヤが使用されている。ワイヤ１４は、船舶９上のローラ１５に設けられている。第１のドッキング部材、つまりフック１０およびブーム１１と、第２のドッキング部材、つまりレール１３との間の接続が形成されると、ワイヤ１４は、レール１３において付加的に位置固定されるので、ワイヤは、船舶９から荷重を受け取ることができる。この接続された状態では、人員および設備の移送が双方向で可能である。
【００３１】
上記の全ての発明は、ドッキングシステムに生じ得る動的な力を消滅させるか、または大幅に減じるシステムを示唆している。
【００３２】
本発明は、好適な実施の形態に関して詳しく説明されたが、本発明は、開示された実施形態に制限されるものではなく、開示された実施形態から当業者は本発明の範囲から逸脱することなしに別の形態を導くことができる。
【符号の説明】
【００３３】
１  船舶
２  船首
３  歯車
４  洋上構造物
５  第２のドッキング部材
６  支柱
７  横方向支柱
８  海面
９  船舶
１０  フック
１１  ブーム
１２  洋上構造物
１３  レール
１４  ワイヤ
１５  ローラ
【図１】
2013233922.tif 000003
【図２】
2013233922.tif 000004
【図３】
2013233922.tif 000005
【図４】
2013233922.tif 000006
【図５】
2013233922.tif 000007
【図６】
2013233922.tif 000008
【図７】
2013233922.tif 000009
【図８】
2013233922.tif 000010
【図９】
2013233922.tif 000011
【外国語明細書】
2013233922.tif 000012
2013233922.tif 000013
2013233922.tif 000014
2013233922.tif 000015
2013233922.tif 000016
2013233922.tif 000017
2013233922.tif 000018
2013233922.tif 000019
2013233922.tif 000020
2013233922.tif 000021
2013233922.tif 000022
2013233922.tif 000023
2013233922.tif 000024
2013233922.tif 000025
2013233922.tif 000026
2013233922.tif 000027
2013233922.tif 000028
2013233922.tif 000029
2013233922.tif 000030